(57)【要約】【課題】天井埋込型照明器具において、天井裏の狭いスペースで光源の交換作業を行うときに、作業に必要なスペースを小さくし、作業を行い易くする。【解決手段】照明器具１は、天井Ｃ１に埋め込まれた器具筐体２と、器具筐体２に保持され、光源３が取り付け取り外しされるソケット４を有した可動プレート５と、を備える。器具筐体２は、上部に作業口２２を有し、対向する側面部に、可動プレート５の両端部をガイドする第１及び第２のレール２７、２８を有する。可動プレート５はレール２７、２８に規制されながら器具筐体２内で回動することにより、作業口２２を閉じた姿勢状態と開いた姿勢状態とを取り、作業口２２を開いた姿勢状態において作業口２２を通して光源３を取り付け取り外しすることができる。従って、光源３の交換作業のため従来のように可動プレート５を器具筐体２外に出す必要はなくなり、作業に必要なスペースが小さくて済み、作業が行い易い。【選択図】図５
2010176899.tif 000002
【特許請求の範囲】
【請求項１】
天井の埋込穴に埋設され、下部に投光口を有する器具筐体と、光源と、前記器具筐体に保持され、前記光源が取り付け取り外しされるソケットを有した可動プレートと、を備えた天井埋込型照明器具において、
前記器具筐体の上部には、天井裏から光源の取り付け取り外し作業を行うための作業口が形成されており、
前記器具筐体は、その対向する側面に、前記可動プレートの両端部をガイドする、略水平方向及びその方向と略直交する方向に延びたレールを有し、
前記可動プレートは、前記レールに移動自在に支持される第１及び第２の支持部を有し、
前記可動プレートが前記レールに規制されながら前記器具筐体内で回動することにより、前記作業口を閉じた姿勢状態と開いた姿勢状態とを取り、前記作業口を開いた姿勢状態において作業口を通して光源を取り付け取り外しすることができるようにしたことを特徴とする天井埋込型照明器具。
【請求項２】
前記レールは、略水平方向に延びた第１のレールと、前記第１のレールと略直交する方向に延びた第２のレールとで構成されることを特徴とする請求項１に記載の天井埋込型照明器具。
【発明の詳細な説明】
【技術分野】
【０００１】
本発明は、天井の埋込穴に埋め込まれる天井埋込型照明器具に関する。
【背景技術】
【０００２】
従来から、下部に投光口を有した器具筐体が天井の埋設穴に埋設され、その器具筐体に保持されたソケットに光源が取り付け取り外しされる天井埋込型照明器具（以下、照明器具という）が知られている。この種の照明器具においては、器具筐体を高い天井に埋設した場合、天井下から光源の交換作業を行うことが難しい。
【０００３】
そこで、天井裏から光源交換が行えるように、ソケットを可動部材に取り付け、器具筐体の側面に設けた開口からソケットを引き出して光源を交換できるようにした照明器具が知られている（例えば、特許文献１参照）。
【０００４】
また、上記とは別の構成ではあるが、天井裏からの光源交換を行えるようにした従来の照明器具を図８（ａ）（ｂ）に示す。この照明器具１０においては、器具筐体１１の上面に作業口１２が形成され、その作業口１２は、蝶番１３により器具筐体１１に取り付けられた可動プレート１４で塞がれ、開閉自在とされている。この可動プレート１４の下面にソケット１５及び光源１６が固定されている。可動プレート１４は作業口１２を開いた姿勢状態で起きた状態に在り、この状態で光源１６の交換作業を行うことができる。
【０００５】
しかしながら、上記２種の照明器具においては、光源の交換作業を行うためには、器具筐体からソケットを引き出す、又は可動プレート１４を器具筐体１１から起こす必要があり、作業に必要なスペースが大きくなり、天井裏の狭いスペースでは作業し難かった。
【先行技術文献】
【特許文献】
【０００６】
【特許文献１】実開平５−６６８１３号公報
【発明の概要】
【発明が解決しようとする課題】
【０００７】
本発明は、上記の従来の問題を解決するためになされたものであり、天井裏から光源の交換作業を行うときに、作業に必要なスペースが小さくて済み、天井裏の狭いスペースでも作業が行い易い天井埋込型照明器具を提供することを目的とする。
【課題を解決するための手段】
【０００８】
上記目的を達成するために請求項１の発明は、天井の埋込穴に埋設され、下部に投光口を有する器具筐体と、光源と、前記器具筐体に保持され、前記光源が取り付け取り外しされるソケットを有した可動プレートと、を備えた天井埋込型照明器具において、前記器具筐体の上部には、天井裏から光源の取り付け取り外し作業を行うための作業口が形成されており、前記器具筐体は、その対向する側面に、前記可動プレートの両端部をガイドする、略水平方向及びその方向と略直交する方向に延びたレールを有し、前記可動プレートは、前記レールに移動自在に支持される第１及び第２の支持部を有し、前記可動プレートが前記レールに規制されながら前記器具筐体内で回動することにより、前記作業口を閉じた姿勢状態と開いた姿勢状態とを取り、前記作業口を開いた姿勢状態において作業口を通して光源を取り付け取り外しすることができるようにしたものである。
【０００９】
請求項２の発明は、請求項１に記載の天井埋込型照明器具において、前記レールは、略水平方向に延びた第１のレールと、前記第１のレールと略直交する方向に延びた第２のレールとで構成されるものである。
【発明の効果】
【００１０】
請求項１の発明によれば、天井裏から光源の交換作業を行うとき、ソケットを保持する可動プレートを器具筐体内で回動させることにより作業口が開いた状態となり、作業口に手を入れて光源の交換作業を行うことができるので、従来のように可動プレートを器具筐体外に出す必要はなくなり、作業に必要なスペースが小さくて済み、天井裏の狭いスペースでも作業が行い易くなる。
【００１１】
請求項２の発明によれば、作業時に可動プレートを天井裏から押すだけで水平状態から垂直状態へ回動させることができ、作業が容易となる。
【図面の簡単な説明】
【００１２】
【図１】本発明の一実施形態に係る天井埋込型照明器具の斜視図。
【図２】上記照明器具の分解斜視図。
【図３】上記照明器具の器具筐体の側面部の斜視図。
【図４】上記照明器具の可動プレートの動きを示す斜視図。
【図５】（ａ）〜（ｄ）は上記照明器具において作業口を閉じた状態から開いた状態とするときの各部の動きを順に示す断面図。
【図６】上記実施形態の一変形例に係る天井埋込型照明器具の器具筐体の側面部の斜視図。
【図７】上記照明器具の可動プレートがレールに支持された状態を示す斜視図。
【図８】（ａ）は従来の天井埋込型照明器具の一点透視図、（ｂ）はその断面図。
【発明を実施するための形態】
【００１３】
以下、本発明の一実施形態に係る天井埋込型照明器具（以下、照明器具という）について図１乃至図５を参照して説明する。図１及び図２は、本実施形態に係る照明器具の構成を示す。本実施形態の照明器具１は、天井Ｃ１の埋込穴Ｃ２に位置を合わせて天井裏に設置された略箱状の器具筐体２と、光源３と、器具筐体２に保持され、光源３が取り付け取り外しされるソケット４を下面に有した可動プレート５と、を備える。器具筐体２の下面には投光口２１が形成され、上面には天井裏から光源３の取り付け取り外し作業を行うための作業口２２が形成されている。器具筐体２の上面には作業口２２を覆う蓋体２３が載置される。可動プレート５は２枚、並置されている。器具筐体２の形状及び可動プレート５の枚数は上記に限定されない。
【００１４】
器具筐体２は、その対向する側面部２４ａ、２４ｂ（以下、側面部２４と総称）と、側面部２４と略直交し互いに対向する側面部２５ａ、２５ｂ（以下、側面部２５と総称）とで構成される。側面部２４は、可動プレート５の両端部をガイドするガイドレール２６（レール）を有する。ガイドレール２６は、略水平方向に延設される第１のレール２７と、このレール２７と略直交する方向に延設された第２のレール２８とで構成される。第２のレール２８は側面部２４の幅方向の中央付近に配置され、その外側に第１のレール２７が配置されている。第２のレール２８の上端部は第１のレール２７と略同じ高さに在り、レール２７、２８は略Ｌ字を形成するように配置されている。第１及び第２のレール２７、２８は、レール２７、２８を１組として各側面部２４に２組ずつ、線対称に配設されている。各レール２７、２８のレール長は可動プレート５の幅寸法よりも短い。
【００１５】
側面部２４の上端部の間には、蓋体２３落下防止用の桟２９が渡されている。側面部２５の下端には、外側に延びた突出片２５ｃが形成されており、突出片２５ｃはネジ６により天井Ｃ１に固定される。側面部２４は側面部２５の端面にネジ７で固定され、桟２９は側面部２４の上端部にネジ８で固定される。側面部２４、２５及び桟２９の互いへの固定手段は上記に限定されない。
【００１６】
光源３は直管状で両口金形の放電灯で構成され、ソケット４は光源３の両端を支持する１対のソケットから成る。光源３は上記に限定されず、片口金形のランプでも構わない。この場合、ソケット４はそれに対応した構成とする。
【００１７】
可動プレート５は、第１及び第２レールの２７、２８に移動自在にそれぞれ支持される第１及び第２の支持部５１、５２を有する。支持部５１、５２は、それぞれ、可動プレート５の本体側面から突出した略円柱状の突起で構成され、本体側面の略両端に設けられている。可動プレート５は、第１及び第２のレール２７、２８によりスライド回動自在に支持され、作業口２２を閉じた姿勢状態（図１の状態）と、作業口２２を開いた姿勢状態とを取る。支持部５１、５２は、可動プレート５の本体と一体に形成されていても、又は円柱部材を本体に取り付け固定したものであってもよい。
【００１８】
図３は、第１及び第２のレール２７、２８の構成を示す。第１及び第２のレール２７、２８には、前面が開口した溝２７ａ、２８ａがレールに沿って形成されている。可動プレート５の第１及び第２の支持部５１、５２は、それぞれ、これらの溝２７ａ、２８ａに挿入される。
【００１９】
第２のレール２８の上端部は、第１のレール２７に向かって略直角に曲がって延びており、可動プレート５の第２の支持部５２を掛止可能である。ここで、この部分を掛止部２８ｂという。レール２７、２８の両端は閉じられており、また、レール２７、２８は、側面部２４と別部材であってネジ等で側面部２４に固定されていてもよいし、又は側面部２４と一体に形成されていても構わない。
【００２０】
図４は、可動プレート５の姿勢変化を示す。可動プレート５は、第１の支持部５１が第１のレール２７の図中左端に支持され、第２の支持部５２が第２のレール２８の掛止部２８ｂに掛止されている状態で、略水平な姿勢となる。
【００２１】
水平姿勢状態から可動プレート５を横にずらし、支持部５１、５２をそれぞれレール２７、２８に沿って移動させると、支持部５１は水平方向に摺動し、支持部５２は鉛直下方に移動する。支持部５１、５２の移動により、可動プレート５はレール２７、２８に規制されながら回動する。支持部５１が第１のレール２７の図中右端と当接し、又は支持部５２がレール２８の下端に当接したとき、可動プレート５は停止し、略垂直に起きた状態となる。
【００２２】
次に、照明器具１における光源３を取り付け取り外しする作業について図５（ａ）〜（ｄ）を参照して説明する。図５（ａ）に示すような可動プレート５が水平姿勢状態のとき、作業口２２は閉じている。この姿勢状態から可動プレート５を、図５（ｂ）（ｃ）に示すように、レール２７、２８に沿ってスライド移動させると、可動プレート５は起き始め、器具筐体２内で回動する。可動プレート５は、図５（ｄ）に示すような起きた姿勢状態になると、作業口２２が開く。従って、作業口２２から手Ｈ１を通して光源３を取り付け取り外しすることが可能になる。
【００２３】
本実施形態においては、天井裏から光源３の交換作業を行うとき、ソケット４を保持する可動プレート５を器具筐体２内で回動させることにより作業口２２が開いた状態となり、作業口２２に手Ｈ１を入れて光源３の交換作業を行うことができる。このため、従来のように可動プレート５を器具筐体２外に出す必要はなくなり、作業に必要なスペースが小さくて済み、天井裏の狭いスペースでも作業が行い易くなる。
【００２４】
また、可動プレート５は、器具筐体２の対向する側面部２４に設けられた、略水平方向に延びた第１のレール２７と、これに略直交する第２のレール２８とにガイドされているので、可動プレート５を天井裏から押すだけで水平状態から垂直状態へ回動させることができ、作業が容易となる。
【００２５】
次に、上記実施形態の一変形例に係る照明器具について図６及び図７を参照して説明する。図６及び図７は、本変形例に係る照明器具１の側面部２４の第１及び第２のレール２７、２８の構成、及びこれらのレール２７、２８に可動プレート５が支持された状態を示す。第１のレール２７の端部２７ｂ、及び第２のレール２８の掛止部２８ｂには、可動プレート５の支持部５１、５２がそれぞれ嵌まる窪み２７ｃ、２８ｃが形成されている。レール２７の端部２７ｂは、レール２８とは反対側に位置する端部である。
【００２６】
本変形例においては、可動プレート５を略水平状態、すなわち、作業口２２を閉じた姿勢状態とするときに、第１及び第２の支持部５１、５２をそれぞれ窪み２７ｃ、２８ｃに嵌めることで、可動プレート５の横ズレを防止することができる。従って、可動プレート５が誤って落ちることを防ぐことができる。
【００２７】
なお、本発明は、上記の実施形態の構成に限定されるものでなく、使用目的に応じ、様々な変形が可能である。例えば、第１及び第２のレール２７、２８は一体に形成されていてもよい。また、可動プレート５の支持部５１、５２の構成は上記に限定されず、支持部５１、５２はローラで構成されていても構わない。支持部５１、５２がレール２７、２８に沿って移動自在に支持されるのであれば、これらの構成は特に限定されない。
【符号の説明】
【００２８】
１  天井埋込型照明器具
２  器具筐体
２１  投光口
２２  作業口
２４ａ、２４ｂ  側面部（器具筐体の対向する側面）
２６  ガイドレール（レール）
２７  第１のレール
２８  第２のレール
３  光源
４  ソケット
５  可動プレート
５１  第１の支持部
５２  第２の支持部
Ｃ１  天井
Ｃ２  埋込穴
【図１】
2010176899.tif 000003
【図２】
2010176899.tif 000004
【図３】
2010176899.tif 000005
【図４】
2010176899.tif 000006
【図５】
2010176899.tif 000007
【図６】
2010176899.tif 000008
【図７】
2010176899.tif 000009
【図８】
2010176899.tif 000010